【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
送信側機器と受信側機器とが通信するシステムであって、
前記送信側機器は、
第１の音声ガイダンスを出力する第１の出力手段と、
前記第１の音声ガイダンスと関連する第２の音声ガイダンスを前記受信側機器において出力させるための出力指示であって、前記送信側機器における前記第１の音声ガイダンスの出力開始よりも遅れたタイミングで前記受信側機器における前記第２の音声ガイダンスを出力開始させるための出力指示を前記受信側機器へ送信する送信手段とを有し、
前記受信側機器は、
前記送信手段により送信された出力指示を受信する受信手段と、
前記受信手段により受信した出力指示に応じたタイミングで、前記第２の音声ガイダンスを出力する出力手段とを有することを特徴とする通信システム。
【請求項２】
第１の音声ガイダンスを出力する第１の出力手段を有する送信側機器と、前記第１の音声ガイダンスと関連する第２の音声ガイダンスを出力する第２の出力手段を有する受信側機器とが通信するシステムにおける音声ガイダンスの出力制御方法であって、
前記第２の音声ガイダンスを前記受信側機器において出力させるための出力指示であって、前記送信側機器における前記第１の音声ガイダンスの出力開始よりも遅れたタイミングで前記受信側機器における前記第２の音声ガイダンスを出力開始させるための出力指示を前記送信側機器から前記受信側機器へ送信する送信工程と、
前記出力指示に応じたタイミングで、前記第２の出力手段により前記第２の音声ガイダンスを出力させる出力工程とを有することを特徴とする音声ガイダンスの出力制御方法。
【請求項３】
前記システムは、一連の処理群を前記送信側機器と前記受信側機器とを含む複数の機器で協調して実行するシステムであって、
前記第１の音声ガイダンスは、前記送信側機器で実行される第１の処理に対応する音声ガイダンスであり、前記第２の音声ガイダンスは、前記受信側機器で実行される第１の処理に対応した第２の処理に対応する音声ガイダンスであることを特徴とする請求項２に記載の音声ガイダンスの出力制御方法。
【請求項４】
前記送信工程では、前記第１の音声ガイダンスが完了したタイミングで前記第２の音声ガイダンスを出力させるための出力指示を送信することを特徴とする請求項２または３に記載の音声ガイダンスの出力制御方法。
【請求項５】
前記送信工程では、前記第２の音声ガイダンスを出力させるタイミングで前記出力指示を送信することにより、前記第１の音声ガイダンスの出力開始よりも遅れたタイミングで前記受信側機器に前記第２の音声ガイダンスを出力開始させることを特徴とする請求項２ないし４のいずれか１項に記載の音声ガイダンスの出力制御方法。
【請求項６】
前記出力指示には、前記第２の音声ガイダンスを出力するタイミングを指示する情報が含まれていることを特徴とする請求項２ないし４のいずれか１項に記載の音声ガイダンスの出力制御方法。
【請求項７】
前記出力指示を送信する前に、前記送信側機器から前記受信側機器に前記第２の音声ガイダンスの音声データを送信する音声データ送信工程を有し、
前記出力指示には、前記第２の音声ガイダンスを出力するタイミングを指示する情報と前記第２の音声ガイダンスの音声データを特定する情報とが含まれていることを特徴とする請求項２ないし４のいずれか１項に記載の音声ガイダンスの出力制御方法。
【請求項８】
前記第２の音声ガイダンスを出力するタイミングを指示する情報では、前記出力指示を受信してから前記第２の音声ガイダンスを出力開始するまでの時間が指示されていることを特徴とする請求項６または７に記載の音声ガイダンスの出力制御方法。
【請求項９】
前記出力指示を送信する前に、前記送信側機器から前記受信側機器に前記第２の音声ガイダンスの音声データを送信する音声データ送信工程を有することを特徴とする請求項２ないし６のいずれか１項に記載の音声ガイダンスの出力制御方法。
【請求項１０】
前記送信工程では、前記出力指示と共に、前記第２の音声ガイダンスの音声データを送信することを特徴とする請求項２ないし６のいずれか１項に記載の音声ガイダンスの出力制御方法。
【請求項１１】
前記送信工程では、前記出力指示として、前記第１の処理が終了したことを示す情報を前記受信側機器に送信することを特徴とする請求項３に記載の音声ガイダンスの出力制御方法。
【請求項１２】
第１の音声ガイダンスを出力する第１の出力手段を有する送信側機器と、前記第１の音声ガイダンスと関連する第２の音声ガイダンスを出力する第２の出力手段を有する受信側機器とが通信するシステムにおける送信側機器であって、
前記第２の音声ガイダンスを、前記第１の音声ガイダンスの出力開始よりも遅れたタイミングで前記第２の出力手段において出力開始させるための出力指示を前記受信側機器へ送信する送信手段を有することを特徴とする送信側機器。
【請求項１３】
前記システムは、一連の処理群を前記送信側機器と前記受信側機器とを含む複数の機器で協調して実行するシステムであって、
前記第１の音声ガイダンスは、前記送信側機器で実行される第１の処理に対応する音声ガイダンスであり、前記第２の音声ガイダンスは、前記第１の処理に対応して前記受信側機器において実行される第２の処理に対応する音声ガイダンスであることを特徴とする請求項１２に記載の送信側機器。
【請求項１４】
前記送信手段は、前記第１の音声ガイダンスが完了したタイミングで、前記第２の音声ガイダンスを出力させるための出力指示を送信することを特徴とする請求項１２または１３に記載の送信側機器。
【請求項１５】
前記送信手段は、前記第２の音声ガイダンスを出力させるタイミングで前記出力指示を送信することにより、前記第１の音声ガイダンスの出力開始よりも遅れたタイミングで前記第２の出力手段により前記第２の音声ガイダンスを出力開始させることを特徴とする請求項１２ないし１４のいずれか１項に記載の送信側機器。
【請求項１６】
前記出力指示には、前記第２の音声ガイダンスを出力するタイミングを指示する情報が含まれていることを特徴とする請求項１２ないし１４のいずれか１項に記載の送信側機器。
【請求項１７】
前記出力指示を送信する前に、前記送信側機器から前記受信側機器に前記第２の音声ガイダンスの音声データを送信する音声データ送信手段を有し、
前記出力指示には、前記第２の音声ガイダンスを出力するタイミングを指示する情報と前記第２の音声ガイダンスの音声データを特定する情報とが含まれていることを特徴とする請求項１２ないし１４のいずれか１項に記載の送信側機器。
【請求項１８】
前記第２の音声ガイダンスを出力するタイミングを指示する情報では、前記出力指示を受信してから前記第２の音声ガイダンスを出力開始するまでの時間が指示されていることを特徴とする請求項１６または１７に記載の送信側機器。
【請求項１９】
前記出力指示を送信する前に、前記送信側機器から前記受信側機器に前記第２の音声ガイダンスの音声データを送信する音声データ送信手段を有することを特徴とする請求項１２ないし１６のいずれか１項に記載の送信側機器。
【請求項２０】
前記送信手段は、前記出力指示と共に、前記第２の音声ガイダンスの音声データを送信することを特徴とする請求項１２ないし１６のいずれか１項に記載の送信側機器。
【請求項２１】
前記送信手段では、前記出力指示として、前記第１の処理が終了したことを示す情報を前記受信側機器に送信することを特徴とする請求項１３に記載の送信側機器。
【請求項２２】
第１の音声ガイダンスを出力する第１の出力手段を有する送信側機器と、前記第１の音声ガイダンスと関連する第２の音声ガイダンスを出力する第２の出力手段を有する受信側機器とが通信するシステムにおける受信側機器であって、
前記第２の音声ガイダンスを、前記第１の音声ガイダンスの出力開始よりも遅れたタイミングで前記第２の出力手段において出力開始させるための出力指示を前記送信側機器から受信する受信手段と、
前記出力指示を受信する前に、前記第２の音声ガイダンスの音声データを受信する音声データ受信手段と、
前記出力指示に基づいて、前記第２の出力手段により前記第２の音声ガイダンスを出力する出力制御手段を有し、
前記システムは、一連の処理群を前記送信側機器と前記受信側機器とを含む複数の機器で協調して実行するシステムであって、前記第１の音声ガイダンスは、前記送信側機器で実行される第１の処理に対応する音声ガイダンスであり、前記第２の音声ガイダンスは、前記第１の処理に対応して前記受信側機器において実行される第２の処理に対応する音声ガイダンスであり、
前記出力指示には、前記第２の音声ガイダンスを出力するタイミングを指示する情報と前記第２の音声ガイダンスの音声データを特定する情報とが含まれていることを特徴とする受信側機器。
【請求項２３】
請求項２ないし１１のいずれか１項に記載の音声ガイダンスの出力制御方法をコンピュータに実行させるためのプログラム。
【請求項２４】
請求項２３に記載のプログラムを記憶したコンピュータが読み取り可能な記憶媒体。
【手続補正２】
【補正対象書類名】明細書
【補正対象項目名】発明の名称
【補正方法】変更
【補正の内容】
【発明の名称】通信システム、音声ガイダンスの出力制御方法、送信側機器、受信側機器、プログラム、記憶媒体
【手続補正３】
【補正対象書類名】明細書
【補正対象項目名】０００７
【補正方法】変更
【補正の内容】
【０００７】
本発明に係わる通信システムは、送信側機器と受信側機器とが通信するシステムであって、前記送信側機器は、第１の音声ガイダンスを出力する第１の出力手段と、前記第１の音声ガイダンスと関連する第２の音声ガイダンスを前記受信側機器において出力させるための出力指示であって、前記送信側機器における前記第１の音声ガイダンスの出力開始よりも遅れたタイミングで前記受信側機器における前記第２の音声ガイダンスを出力開始させるための出力指示を前記受信側機器へ送信する送信手段とを有し、前記受信側機器は、前記送信手段により送信された出力指示を受信する受信手段と、前記受信手段により受信した出力指示に応じたタイミングで、前記第２の音声ガイダンスを出力する出力手段とを有することを特徴とする。